(57)【要約】【課題】  床が振動し難く、この振動によって発生する音が小さく、床小梁に直接床面材を設けることのできる施工し易い床構造を提供することである。【解決手段】  建物の相対する床梁２２に複数本の床小梁２４を略平行に差し渡し、制振長尺体４をこの複数本の床小梁２４に、床小梁２４下部の長手方向中央部を連結する状態に、防振ゴム５を挟んで吊り下げ、床面材２６を床小梁２４の上方に設けた床構造である。【選択図】          図５
2006125105.tif 000002
【特許請求の範囲】
【請求項１】
建物の相対する床梁に複数本の床小梁が略平行に差し渡され、制振長尺体がこの複数本の床小梁に、床小梁下部の長手方向中央部を連結する状態に、防振ゴムを挟んで吊り下げられ、床面材が床小梁の上方に設けられていることを特徴とする床構造。
【請求項２】
矩形状の四隅に立設した柱と、この柱を矩形状の辺に沿って連結した床梁とからなる骨格を有する直方体状の建物ユニットの相対する床梁に複数本の床小梁が略平行に差し渡され、制振長尺体がこの複数本の床小梁に、床小梁下部の長手方向中央部を連結する状態に、防振ゴムを挟んで吊り下げられ、床面材が床小梁の上方に設けられていることを特徴とする床構造。
【請求項３】
前記制振長尺体と床面材との間に吸音材が、中央部を制振長尺体に支持され、縁部を床梁または床小梁に固定された状態に、設けられていることを特徴とする請求項１または請求項２に記載の床構造。
【請求項４】
前記制振長尺体が床小梁１本当たり１０ｋｇ以上の重量を有することを特徴とする請求項１〜請求項３のいずれかに記載の床構造。
【請求項５】
前記防振ゴムを挟んで吊り下げられた制振長尺体は、４０〜１００ヘルツ／秒の固有振動数を有することを特徴とする請求項１〜請求項４のいずれかに記載の床構造。
【発明の詳細な説明】
【技術分野】
【０００１】
本発明は、重量床衝撃音の小さい床構造に関する。
【背景技術】
【０００２】
従来、床の上で子供が飛び跳ねたり、床の上に物を落下させると床が振動し、この床の振動によって発生する衝撃音が大きく不愉快になることが多い。
特に、複数階の建物においては、上階で子供が飛び跳ねたり、物を落下させたとき等の上階の床の振動によって発生する衝撃音が下階に響き、下階の居住性が悪くなるという問題がある。
かかる問題を解決する床構造としては、種々ある。例えば、特許文献１に記載されている床構造が知られている。
【０００３】
この床構造は、床小梁等の床構造体の上に粘性と弾性を有する制振板を架け渡し、この制振板の両端部を床構造体に直接取着したものであり、制振板として、パーチクルボード、硬質木片セメント板、石膏ボードなどのいずれか単体、もしくはこれ等の複合体、またはこれ等と鉄板との複合体等が示されている。
そして、実施例では、床梁に床小梁を差し渡して取り付け、この床小梁の上に床根太を取り付けていて、この床根太の間の床小梁の上に広い範囲に多数のパーチクルボードの制振板を架け渡し、制振板の両端部を床小梁に固定した構造が示されている。
この床構造では、上階で子供が飛び跳ねる等の床構造体に生ずる振動を、粘性と弾性を有する制振板で吸収、減衰させ、床の振動に起因する衝撃音を小さくするものである。
【０００４】
【特許文献１】特公平７−４９６８５号公報
【発明の開示】
【発明が解決しようとする課題】
【０００５】
しかし、この特許文献１に記載されている床構造では、多数の制振板を床小梁等の床構造体に広い範囲に取着させるために、多くの手間がかかり、施工し難いという問題がある。
また、上記のように複数の床根太があれば、この床根太の間の床小梁の上に制振板を架け渡して取り付けることができるが、床小梁の上に直接床面材を取り付ける構造の建物では、上記のようにして制振板を取り付けることができないという問題がある。
【０００６】
更に、上記床構造では、床の振動が小さくなり、この床の振動によって発生する音が小さくなるが、床の音は小さい程が好ましいので、更に床の振動を小さくしたいという要望がある。
そこで、本発明の目的は、上記特許文献の床の防音構造より床が振動し難く、この振動によって発生する音が小さく、床小梁に直接床面材を設けることのできる施工し易い床の防音構造を提供することである。
【課題を解決するための手段】
【０００７】
本発明は上記目的を達成するためになされたものであって、請求項１に記載の発明は、建物の相対する床梁に複数本の床小梁が略平行に差し渡され、制振長尺体がこの複数本の床小梁に、床小梁下部の長手方向中央部を連結する状態に、防振ゴムを挟んで吊り下げられ、床面材が床小梁の上方に設けられている床構造である。
【０００８】
請求項２に記載の発明は、矩形状の四隅に立設した柱と、この柱を矩形状の辺に沿って連結した床梁とからなる骨格を有する直方体状の建物ユニットの相対する床梁に複数本の床小梁が略平行に差し渡され、制振長尺体がこの複数本の床小梁に、床小梁下部の長手方向中央部を連結する状態に、防振ゴムを挟んで吊り下げられ、床面材が床小梁の上方に設けられている床構造である。
【０００９】
請求項３に記載の発明は、請求項１または請求項２に記載の発明に係り、前記制振長尺体と床面材との間に吸音材が、中央部を制振長尺体に支持され、縁部を床梁または床小梁に固定された状態に、設けられている床構造である。
【００１０】
請求項４に記載の発明は、請求項１〜３のいずれかに記載の発明に係り、前記制振長尺体が床小梁１本当たり１０ｋｇ以上の重量を有する床構造である。
【００１１】
請求項５に記載の発明は、請求項１〜４のいずれかに記載の発明に係り、前記防振材を挟んで吊り下げられた制振長尺体は、４０〜１００ヘルツ／秒の固有振動数を有するものである。
【００１２】
本発明における制振長尺体とは、適宜材質を長尺体にした重量物である。例えば、木材等の木製の制振長尺体でもよいし、鋼等の金属を長尺体に成形した金属製の制振長尺体でもよい。また、特許文献１に記載されている制振板、例えば、パーチクルボード、硬質木片セメント板、石膏ボードなどのいずれか単体、もしくはこれ等の複合体、またはこれ等と鉄板との複合体等を長尺体にした制振長尺体でもよい。
また、制振ゴムとは、ゴム弾性を有するものであって、天然ゴムや合成ゴム等のゴムであってもよいし、軟質塩化ビニル樹脂や軟質ウレタン樹脂やシリコーン樹脂等のゴム弾性を有する合成樹脂であってもよい。
【００１３】
そして、制振長尺体は床小梁に防振ゴムを挟んで吊り下げられているが、このように吊り下げる構造としては種々ある。例えば、床小梁が適当な取付部（例えば、横板）があれば、この取付部に防振ゴムを挟んで制振長尺体をボルト・ナットやリベット等で取り付けて吊り下げればよい。また、床小梁が筒状体で、適当な取付部が無い場合には、この床小梁の横面に取付部となる板体を溶接し、この板体に制振長尺体を防振ゴムを挟んでボルト・ナットやリベットで取り付けて吊り下げてもよいし、床小梁に下面から上面に貫通した通孔を設けていて、この通孔を通したボルトやリベットで床小梁の下面に制振長尺体を防振ゴムを挟んで取り付けて吊り下げてもよいし、床小梁の下側壁面に通孔を設け、制振長尺体を防振ゴムを通した一方向性リベットで取り付けて吊り下げてもよい。
【００１４】
この制振長尺体は、複数本の床小梁に吊り下げられているが、この制振長尺体を吊り下げる床小梁の数は適宜でよいが、子供等が飛び跳ねたり、床の上に物を落としたときの衝撃を複数の床小梁に分散させ、振動し難くするためには、吊り下げる床小梁の数は多い方が好ましい。
なお、この制振長尺体は床小梁下部の長手方向中央部に吊り下げられているが、この中央部とは、床小梁が床梁に連結されている端部分を除いた部分である。即ち、この部分は、子供等が飛び跳ねたときに振動し易いので、この部分に制振長尺体を吊り下げて振動を小さくするのである。
【００１５】
建物に取り付ける制振長尺体の本数は床小梁の長さと制振長尺体の重量によって異なるが、通常、制振長尺体間の距離を２〜４ｍにして平行に並べられた床小梁に設ければよい。特に、請求項２記載の建物ユニットを組み立てた建物では、各建物ユニット毎に１本設ければよい。
本発明における床面材は床小梁の上方に設けられているが、これは、床小梁の上に直接床面材を取り付けてもよいし、床小梁の上に床根太等の他の介在部材を取り付け、この介在部材の上に床面材を設けてもよいこと意味している。
【００１６】
請求項１に記載の発明における建物とは、いかなる建物であってもよい。例えば、木造の建物でもよいし、鉄骨の建物でもよいし、鉄筋コンクリートの建物でもよい。また、戸建ての建物でもよいし、連棟式の建物でもよいし、共同住宅でもよい。また１階建ての建物でもよいし、２階以上の建物でもよい。
【００１７】
請求項２に記載の発明における建物ユニットとは、ユニット建物を構成するものである。換言すると、建物ユニットの複数個を組み立ててユニット建物になるのである。
そして、この請求項２に記載の発明における建物ユニットは矩形状の四隅に立設した柱と、この柱を矩形状の辺に沿って連結した床梁とからなる骨格を有していればよい。例えば、天井梁等は有ってもよいし、なくてもよい。そして、この床梁を取り付ける位置は、柱の下端部であってもよいし、中央部でもよいし、上端部でもよい。。
【００１８】
請求項３記載の発明における吸音材とは、吸音性能に優れたものであれば適宜材料が使用できる。例えば、発泡ポリスチレン樹脂や発泡ポリウレタン樹脂等の合成樹脂の発泡体やフレキシブルボード等の木質板や綿等の繊維や布等でもよい。しかし、一般に、下階に火災が発生したときには、火災の炎が天井を通して、下階の天井と上階の床の下の間に燃え上がり、この間を通って横方向に燃え拡がるので、この燃え拡がりを防止するために、上階の床面材の下に設ける吸音材としては、燃えない材質が好ましい。この燃えない吸音材の代表的なものとして無機質の吸音材がある。
【００１９】
かかる無機質吸音材としては、ガラスウール、ロックウール等の無機質の繊維や、この繊維を板状に加工したものや、ガラス発泡体、軽石や岩石を発泡させた岩石発泡体等の岩石の気泡体や、ＡＬＣ、セメント発泡体や軽石等の岩石発泡体（人工骨材）を骨材にしたセメント板等のセメント系または珪酸カルシウム系の気泡体や、珪砂やゼオライト粉末等の無機質の粉末を気泡や通孔が存在する状態に接着剤で固めたもの等の表面に凹凸や内部に気泡を有する板体がある。
【００２０】
特に、ガラスウールやロックウールが吸音性能に優れ、しかも、安価であるので好ましい。このガラスウールやロックウール等は、板状になっていれば、それをそのまま使用できる。しかし、板状でない繊維状だけの場合には、ガラスウールやロックウール等を制振長尺体の上に載せ易くするために、ポリエチレン製の袋等に入れることが好ましい。
この吸音材を取り付ける床として、１階の床でもよいし、２階以上の階の床でもよいが、２階以上の階に取り付けると、下階の居住性がよくなり、効果が大きいので、２階以上の床に設けることが好ましい。
【００２１】
請求項４記載の発明においては制振長尺体が床梁１本当たり１０ｋｇ以上の重量になっているが、これは、通常、重量が１０ｋｇ以上であれば、床面材や床小梁の振動を小さくすることができるからである。なお、重いと制振長尺体を吊り下げる構造が大規模になるので、適当な重さの制振長尺体が好ましい。
【００２２】
この制振長尺体の適当な重量は、床の構造や大きさによって異なるが、例えば、直方体状の建物ユニットを例に挙げて説明すると、平面視の矩形状の長辺の長さが略３．６ｍ、短辺の長さが略２．５ｍの建物ユニットの場合には、制振長尺体の重さが２０〜４０ｋｇが適当であるし、長辺の長さが略４．５ｍ、短辺の長さが略２．５ｍの建物ユニットの場合には４０〜５０ｋｇが適当であるし、長辺の長さが略５．４ｍ、短辺の長さが略２．５ｍの建物ユニットの場合には、６０〜８０ｋｇが適当である。
【００２３】
そして、この建物ユニットに制振長尺体を取り付ける方法としては、複数本の床小梁を長辺方向の床梁に略直角に設け、長辺方向の床梁より若干短い１本の制振長尺体を、長辺方向の床梁に略平行（即ち、床小梁に略直角）に配置し、すべての床小梁の中央部に防振ゴムを挟んで取り付けことが好ましい。
（作用）
【００２４】
請求項１に記載の発明では、建物の相対する床梁に複数本の床小梁が略平行に差し渡され、制振長尺体がこの複数本の床小梁に、床小梁下部の長手方向中央部を連結する状態に、防振ゴムを挟んで吊り下げられ、床面材が床小梁の上方に設けられているので、床面材の上で子供が飛び跳ねたり、床面材の上に物を落下させたりして床面材が振動すると、この床面材の下方にある床小梁が振動する。
【００２５】
すると、床小梁の振動の大きい中央部に防振ゴムを挟んで吊り下げられている制振長尺体と、この制振長尺体に連結されているその他の床小梁が振動するが、この際、制振長尺体とこの制振長尺体に連結しているその他の床小梁を振動させるために、多くのエネルギーを要するし、床小梁の振動のエネルギーと制振長尺体の振動のエネルギーを、両者の間にある防振ゴムが吸収し、床小梁や床面材が振動し難く、振動しても、急速に収まる。
【００２６】
また、この構造に施工する方法としては、複数本の床小梁の中央部を連結する状態に制振長尺体を設ければよい。従って、特許文献１に記載されているように、制振板を床小梁間に広い範囲に設ける場合と比較すると、多数の制振長尺体を設ける必要がなく、手間がかからず施工し易い。
また、制振長尺体は床小梁に吊り下げられていて、床小梁の上にないので、この床小梁に床面材を直接設けることもできる。
【００２７】
請求項２に記載の発明では、矩形状の四隅に立設した柱と、この柱を矩形状の辺に沿って連結した床梁とからなる骨格を有する直方体状の建物ユニットの相対する床梁に複数本の床小梁が略平行に差し渡され、制振長尺体がこの複数本の床小梁に、床小梁下部の長手方向中央部を連結する状態に、防振ゴムを挟んで吊り下げられ、床面材が床小梁の上方に設けられているので、建物ユニットの複数個を組み立てた建物の床面材の上で子供が飛び跳ねたり、床面材の上に物を落下させたりして床面材が振動すると、この床面材の下方にある床小梁が振動する。
【００２８】
すると、床小梁の振動の大きい中央部に防振ゴムを挟んで吊り下げられている制振長尺体と、この制振長尺体に連結されているその他の床小梁が振動するが、この際、制振長尺体とこの制振長尺体に連結しているその他の床小梁を振動させるために、多くのエネルギーを要するし、床小梁の振動のエネルギーと制振長尺体の振動のエネルギーを、両者の間にある防振ゴムが吸収し、床小梁や床面材が振動し難く、振動しても急速に収まる。
【００２９】
また、工場等の設備の整った場所で建物ユニトを製造する際に、制振長尺体を取り付けることができ、この制振長尺体を取り付け易し、床小梁の中央部を連結する状態に制振長尺体を設ければよく、特許文献１に記載されている制振板を床小梁間に広い範囲に設ける場合と比較すると、制振長尺体を多数設ける必要がなく、手間がかからず施工し易い。
また、制振長尺体は床小梁に吊り下げられていて、床小梁の上にないので、この床小梁に床面材を直接設けることもできる。
【００３０】
請求項３に記載の発明では、請求項１または請求項２に記載の発明に係り、前記制振長尺体と床面材との間に吸音材が、中央部を制振長尺体に支持され、縁部を床梁または床小梁に固定された状態に、設けられているので、床面材や床小梁が振動して発生する音を制振長尺体と床面材との間に設けられている吸音材が吸収する。
また、この制振長尺体の上に吸音材を設ければよく、この吸音材を支えるために別の部材を設ける必要がない。
【００３１】
請求項４に記載の発明では、請求項１〜３のいずれかに記載の発明に係り、前記制振長尺体が床小梁１本当たり１０ｋｇ以上の重量を有するので、この床小梁１本当たり１０ｋｇ以上という重い制振長尺体を振動させるために大きなエネルギーを要し、床小梁が振動し難い。
【００３２】
請求項５に記載の発明では、請求項１〜４のいずれかに記載の発明に係り、前記防振ゴムを挟んで吊り下げられた制振長尺体は、４０〜１００ヘルツ／秒の固有振動数を有するので、重量衝撃音を発生させる床小梁の主な振動である４０〜１００ヘルツ／秒近傍の振動を効率よく小さくすることができる。
即ち、一般に、床の重量衝撃音を小さくし難いものであるが、この重量衝撃音を発生させる床面材や床小梁の中心的な振動が４０〜１００ヘルツ／秒であり、しかも、この振動から発生する音が最も腹に響き居住性が悪くなるので、この振動を小さくすることが重要である。
【００３３】
そして、この請求項５に記載されている発明では、子供が床面材の上に飛び跳ねたり、床面材の上に物を落としたりしたときの床面材と床小梁の４０〜１００ヘルツ／秒近傍の振動は、防振ゴムを挟んで吊り下げられた制振長尺体に、共鳴によって最も多く伝わって、制振長尺体を振動させる。すると、この重い制振長尺体を振動させたり、この制振長尺体に連結されているその他の床小梁させるために、この床小梁の４０〜１００ヘルツ／秒の振動エネルギーが多く消費される上に、この両方の振動エネルギーを防振ゴムが吸収するので、この床面材や床小梁の４０〜１００ヘルツ／秒近傍の振動が小さくなるし、速く収まる。
【発明の効果】
【００３４】
以上説明したように、請求項１に記載の発明は、建物の相対する床梁に複数本の床小梁が略平行に差し渡され、制振長尺体がこの複数本の床小梁に、床小梁下部の長手方向中央部を連結する状態に、防振ゴムを挟んで吊り下げられ、床面材が床小梁の上方に設けられているから、床面材の上で子供が飛び跳ねたり、床面材の上に物を落下させたりして床面材が振動すると、床面材の振動が床小梁を通って制振長尺体と、この制振長尺体に連結されているその他の床小梁を振動させるが、この際、制振長尺体とこの制振長尺体に連結しているその他の床小梁を振動させるために、多くのエネルギーを要するし、床小梁の振動エネルギーと制振長尺体の振動エネルギーを、両者の間にある防振ゴムが吸収し、床小梁や床面材が振動し難く、振動しても急速に収まり、この床面材や床小梁の振動によって発生する音が小さく、建物の居住性がよくなる。
【００３５】
また、床小梁下部の長手方向中央部を連結する状態に制振長尺体を設ければよく、手間がかからず施工し易い。
また、制振長尺体は床小梁に吊り下げられていて、床小梁の上になく、この床小梁に床面材を直接設けることができる。
【００３６】
請求項２に記載の発明は、矩形状の四隅に立設した柱と、この柱を矩形状の辺に沿って連結した床梁とからなる骨格を有する直方体状の建物ユニットの相対する床梁に複数本の床小梁が略平行に差し渡され、制振長尺体がこの複数本の床小梁に、床小梁下部の長手方向中央部を連結する状態に、防振ゴムを挟んで吊り下げられ、床面材が床小梁の上方に設けられているから、建物ユニットの複数個を組み立てた建物の床面材の上で子供が飛び跳ねたり、床面材の上に物を落下させたりして床面材が振動しと、床面材の振動は床小梁を通って制振長尺体と、この制振長尺体に連結されているその他の床小梁を振動させるが、この際、制振長尺体とこの制振長尺体に連結しているその他の床小梁を振動させるために、多くのエネルギーを要するし、床小梁の振動のエネルギーと制振長尺体の振動のエネルギーを、両者の間にある防振ゴムが吸収し、床小梁や床面材が振動し難く、振動しても急速に収まり、この床面材や床小梁の振動によって発生する音が小さく、建物の居住性がよくなる。
【００３７】
また、工場等の設備の整った場所で建物ユニトを製造する際に、制振長尺体を取り付けることができ、この制振長尺体を取り付け易し、床小梁の中央部を連結する状態に制振長尺体を設ければよく、手間がかからず施工し易い。
また、制振長尺体は床小梁に吊り下げられていて、床小梁の上にないので、この床小梁に床面材を直接設けることもでき、便利である。
【００３８】
請求項３に記載の発明は、請求項１または請求項２に記載の発明に係り、前記制振長尺体と床面材との間に吸音材が、中央部を制振長尺体に支持され、縁部を床梁または床小梁に固定された状態に、設けられているから、床面材や床小梁が振動して発生する音を制振長尺体と床面材との間に設けられている吸音材が吸収し、建物の中が静かになり、居住性がよくなる。
【００３９】
また、この制振長尺体の上に吸音材を設ければよく、この吸音材を支えるために別の部材を設ける必要がなく、吸音材を安価に設けることができる。
請求項４に記載の発明は、請求項１〜３のいずれかに記載の発明に係り、前記制振長尺体が床小梁１本当たり１０ｋｇ以上の重量を有するから、この床小梁１本当たり１０ｋｇ以上という重い制振長尺体を振動させるために大きなエネルギーを要し、その結果、床小梁が振動し難く、その結果、この床面材や床小梁の振動によって発生する音が小さくなり、建物の居住性がよくなる。
【００４０】
請求項５に記載の発明は、前記防振ゴムを挟んで吊り下げられた制振長尺体は、４０〜１００ヘルツ／秒の固有振動数を有するから、重量衝撃音を発生させる床小梁や床面材の主な振動である４０〜１００ヘルツ／秒の振動を効率よく小さくすることができ、その結果、この振動によって発生する重量衝撃音が小さくなり、建物の居住性がよくなる。
【発明を実施するための最良の形態】
【００４１】
以下、本発明を実施するための最良の形態を実施例で示す。
【実施例】
【００４２】
図１〜図７は、本発明をユニット建物に適用した一実施例を示すものであって、図１はユニット建物を示す斜視図、図２は１階の建物ユニットを示す一部切欠斜視図、図３は吸音材を省いた２階の建物ユニットを示す一部切欠斜視図、図４は２階の建物ユニットに制振長尺体を取り付けた状態を模式的に示した床の平面図、図５は図３のＡ−Ａ線における断面図、図６は図３のＢ−Ｂ線における断面図、図７は図６のＣ部分を拡大して示した断面図である。
【００４３】
図１〜図７において、Ｕはユニット建物であり、このユニット建物Ｕは、図１に示すように、基礎９の上に６個の１階の建物ユニット１を据え付けて１階を構成し、この１階の建物ユニット１の上に６個の２階の建物ユニット２を据え付けて２階を構成し、この２階の建物ユニット２の上に屋根パネル３を取り付けたものである。
１階の建物ユニット１は、図２に示すように、矩形状の４隅に立設した４本の鋼製の四角筒状の柱１１と、この柱１１の下端部を矩形状の辺に沿って連結した４本の鋼製の断面コ字形長尺体の床梁１２と、柱１１の上端部を矩形状の辺に沿って連結した４本の鋼製の断面コ字形長尺体の天井梁１３とからなる骨格を有する。
【００４４】
そして、この建物ユニット１は、この骨格の相対する長辺の床梁１２に鋼製の四角筒状の床小梁１４を差し渡し、取付片１４１を介して床梁１２に固定し、この床小梁１４の上にパーチクルボード製の床面材１６を取り付けて床を構成し、骨格の相対する長辺の天井梁１３に木製の天井野縁１７を差し渡し、この天井野縁１７の下面に石膏ボード製の天井面材１８を取り付けて天井を構成したものであって、平面視の矩形状の長辺の長さが略５．４ｍ、短辺の長さが略２．５ｍの直方体状をしている。
【００４５】
この際、床小梁１４の上面は床梁１２の上面より高い位置なっていて、この床小梁１４の上に直接床面材１６を取り付けても、図２に示すように、この床面材１６が床梁１２の上方を覆うことができるようになっている。
また、外壁を設ける場所には、床梁１２と天井梁１３に鋼製の断面コ字形長尺体の間柱１９を差し渡し、この間柱１９の屋外側に図示しない外壁パネルを、また、間柱１９の内側に図示しない内壁パネルをそれぞれ取り付け、この外壁パネルと内壁パネルの間に図示しないガラスウールの断熱材を取り付けて外壁を構成する。
【００４６】
２階の建物ユニット２を１階の建物ユニット１と比較すると、床小梁２４に制振長尺体４が、防振ゴム５を挟んで吊り下げられていることが異なる。
即ち、２階の建物ユニット２は、図３に示すように、矩形状の４隅に立設した４本の鋼製の四角筒状の柱２１と、この柱２１の下端部を矩形状の辺に沿って連結した４本の鋼製の断面コ字形長尺体の床梁２２と、柱２１の上端部を矩形状の辺に沿って連結した４本の鋼製の断面コ字形長尺体の天井梁２３とからなる骨格を有する。
【００４７】
そして、この建物ユニット２は、この骨格の相対する長辺の床梁２２に鋼製の四角筒状の床小梁２４を差し渡し、取付片２４１を介して床梁２２に固定し、この床小梁２４下部の長手方向中央部に制振長尺体４を防振ゴム５を挟んで吊り下げ、図５に示すように、制振長尺体４の上に袋状のポリエチレンフィルムの中に挿入されたガラスウールの吸音材７を載せ、この吸音材７の両側を図示しないテープで床梁２２に固定し、この床小梁２４の上にパーチクルボード製の床面材２６を取り付けて、床を構成し、骨格の相対する長辺の天井梁２３に木製の天井野縁２７を差し渡し、この天井野縁２７の下面に石膏ボード製の天井面材２８を取り付けて天井を構成し、この天井の上に、図示しないガラスウールの吸音材を取り付けたものであって、平面視の矩形状の長辺の長さが略５．４ｍ、短辺の長さが略２．５ｍの直方体状をしている。
【００４８】
この際、床小梁２４の上面は床梁２２の上面より高い位置なっていて、この床小梁２４の上に直接床面材２６を取り付けても、図３に示すように、この床面材２６が床梁２２の上方を覆うことができるようになっている。また、制振長尺体４の下面の高さが床梁２２の下面より高くなっていて、この建物ユニット２を地上やトラックの上に置いても、制振長尺体４が地面や荷台に当たらないようになっているし、フォークリフトで建物ユニット２を運ぶ際に、フォークリフトの爪を建物ユニット２の下側に差し込んでも、この爪が制振長尺体４に当たらないようになっている。
【００４９】
また、外壁を設ける場所には、床梁２２と天井梁２３に鋼製の断面コ字形長尺体の間柱２９を差し渡し、この間柱２９の屋外側に図示しない外壁パネルを、また、間柱２９の内側に図示しない内壁パネルをそれぞれ取り付け、この外壁パネルと内壁パネルの間に図示しないガラスウールの無機質吸音材を取り付けて外壁を構成する。
この制振長尺体４の取付構造を詳細に説明する。
床小梁２４の略中央図の下面には、図７に示すように、通孔２４５が設けられている。  また、防振ゴム５は天然ゴム製の矩形状板体であり、略中央に通孔５５が設けられている。
【００５０】
また、制振長尺体４は鋼製の断面コ字形長尺体であり、重量は７０ｋｇである。そして、制振長尺体４の床小梁２４と交差予定の場所（６箇所）に通孔４５が設けられている。
そして、図４に示すように、制振長尺体４を、建物ユニット２の７本の床小梁２４の中央部の下面に、沿わせ、防振ゴム５を床小梁２４と制振長尺体４の間に挟んで、制振長尺体４の通孔４５から防振ゴム５の通孔５５を経て床小梁２４の通孔２４５に貫通した一方向性リベット６で、制振長尺体４と防振ゴム５を床小梁２４に取り付けると、図５及び図６に示すように、制振長尺体４が床小梁２４に防振ゴム５を挟んで吊り下げられる。
なお、この床小梁２４に防振ゴム５を挟んで吊り下げられた制振長尺体４の固有振動数は５０ヘルツ／秒である。
【００５１】
次に、このユニット建物Ｕの施工方法および作用について説明する。
工場で、１階の建物ユニット１、２階の建物ユニット２、屋根パネル３等を製造する。
この際、１階の建物ユニット１や屋根パネル３等は従来と略同じであるので説明を省略する。
【００５２】
そして、２階の建物ユニット２は従来と若干異なるので、この２階の建物ユニット２の製造方法を説明すると、建物ユニット２の骨格を従来と同様にして製造し、この建物ユニット２の骨格の相対する長辺の床梁２２に鋼製の四角筒状の床小梁２４を差し渡し、この床小梁２４に制振長尺体４を防振ゴム５を挟んで吊り下げ、７本の床小梁２４の間にある６箇所の制振長尺体４の上に袋状のポリエチレンの中に挿入されているガラスウールの吸音材６を載せ、吸音材６の両側を図示しないテープで床梁２２に固定し、この床小梁２４の上にパーチクルボード製の床面材２６を取り付けて、床を構成し、骨格の相対する長辺の天井梁２３に木製の天井野縁２７を差し渡し、この天井野縁２７の下面に石膏ボード製の天井面材２８を取り付けて天井を構成する。
【００５３】
このように、設備の整った工場で建物ユニト２を製造する際に、制振長尺体４を取り付ることができるので、この制振長尺体４を取り付け易し、すべての床小梁２４の中央部を連結する状態に、１本の制振長尺体４を設ければよく、特許文献１に記載されているように、床根太間の床小梁の上に広い範囲に多数設ける必要がない。従って、手間がかからず施工し易い。
また、制振長尺体４は床小梁２４に吊り下げられていて、床小梁２４の上にないので、この床小梁２４に床面材２６を直接設けることもできる。
【００５４】
また、制振長尺体４の上に吸音材７を設けるので、この吸音材７を支えるために別の部材を設ける必要がなく、吸音材７を安価に設けることができる。
このようにして製造した１階の建物ユニット１、２階の建物ユニット２、屋根パネル３等を施工現場に運搬する。
施工現場では予め設けられている基礎９の上に６個の１階の建物ユニット１を据え付け、この１階の建物ユニット１の上に２階の建物ユニット２を据え付け、この２階の建物ユニット２の上に屋根パネル３を取り付け、その他種々な仕上げを行うとユニット建物Ｕが完成する。
【００５５】
このようにして完成したユニット建物Ｕでは、１階の建物ユニット１の上に２階の建物ユニット２が据え付けられている。
そして、この２階の建物ユニット２の床面材２６の上で子供が飛び跳ねたり、床面材２５の上に物を落下させたりして床面材２５と床小梁２４が振動すると、床小梁２４の振動の大きい中央部に防振ゴム５を挟んで吊り下げられている制振長尺体４と、この制振長尺体４に連結されているその他の床小梁２４が振動する。
【００５６】
すると、この重量７０ｋｇという重い制振長尺体４とその他の床小梁２４を振動させるために、多くのエネルギーを要し、床小梁２４と床面材２６が振動し難いし、床小梁２４の振動のエネルギーと制振長尺体４の振動のエネルギーを、両者の間にある防振ゴム５が吸収し、床小梁２４や床面材２６が振動し難いし、振動しても急速に収まる。
この際、防振ゴム５を挟んで吊り下げられた制振長尺体４の固有振動数は、５０ヘルツ／秒であるから、重量衝撃音の原因となる５０ヘルツ／秒近傍の床面材２６や床小梁２４の振動を効率よく吸収し、振動にし難くし、振動しても急速に収まる。
【００５７】
従って、２階と１階の騒音、特に、重量衝撃音が少なくなり静かになるし、速く収まるので、この建物の居住性がよい。
実際に、ＪＩＳに規定されている２階で物を落とし、直下の１階で騒音を測定する方法で重量床衝撃音を測定したところ、Ｌ−６０の遮音性能を達成した。
【産業上の利用可能性】
【００５８】
この実施例では、鋼製の断面コ字形長尺体の天井梁を有する２階建てのユニット建物について説明したが、その他のユニット建物でもよいし、その他の建物、例えば、木造の建物や鉄骨造りの建物や鉄筋コンクリート製の建物でもよい。又、戸建ての建物でもよいし、共同住宅であってもよい。又、１階の建物でもよいし、３階以上の建物であってもよい。
特に、工場で建物ユニットを製造し、この建物ユニットを施工現場に運搬して組み立てるユニット建物では、工場で、制振長尺体を建物ユニットに取り付けることができるので、この床構造はユニット建物に好適である。
また、制振長尺体に鋼製の断面コ字形長尺体を使用したが、その他の制振長尺体でもよい。例えば、木製の四角棒状の長尺体でもよいし、コンクリート製長尺体でもよい。
【００５９】
また、吸音材として、ガラスウールを使用したが、その他の吸音材、例えば、ロックウール等の無機質繊維状体であってもよいし、ガラス発泡体であってもよいし、軽石や岩石発泡体等の岩石の気泡体であてもよいし、珪砂やゼオライト粉末等の無機質粉末を接着剤で気泡や通孔が存在する状態に固めたものでもよい。
また、防振ゴムとして、天然ゴムを使用したが、その他のゴム状弾性を有するものを使用してもよい。例えば、合成ゴムであってもよいし、軟質塩化ビニル樹脂や軟質ウレタン樹脂やシリコーン樹脂等のゴム弾性を有する合成樹脂であってもよい。
【図面の簡単な説明】
【００６０】
【図１】実施例のユニット建物を示す斜視図である。
【図２】実施例の１階の建物ユニットを示す一部切欠斜視図である。
【図３】実施例の吸音材を省いた２階の建物ユニットを示す一部切欠斜視図である。
【図４】実施例の２階の建物ユニットに制振長尺体を取り付けた状態を模式的に示した床の平面図である。
【図５】図３のＡ−Ａ線における断面図である。
【図６】図３のＢ−Ｂ線における断面図である。
【図７】図７は図６のＣ部分を拡大して示した断面図である。
【符号の説明】
【００６１】
Ｕ            建物（ユニット建物）
２            ２階の建物ユニット
２１          柱
２２          床梁
２４          床小梁
２６          床面材
４            制振長尺体
５            防振ゴム
７            吸音材
【図１】
2006125105.tif 000003
【図２】
2006125105.tif 000004
【図３】
2006125105.tif 000005
【図４】
2006125105.tif 000006
【図５】
2006125105.tif 000007
【図６】
2006125105.tif 000008
【図７】
2006125105.tif 000009